(57)【要約】【課題】光発色性染料を含むことにより、視覚的に趣向性に富んだ警告機能を実現し、ユーザの購買欲を向上させる、光記録媒体を提供する。【解決手段】本発明による光記録媒体は、第１基板と、光発色性染料を有する第２基板と、前記第１基板と前記第２基板との間に設けられた反射層とを備える。【選択図】図３
2006331628.tif 000002
【特許請求の範囲】
【請求項１】
第１基板と、
光発色性染料を含む第２基板と、
前記第１基板と前記第２基板との間に設けられた反射層と、
を備える、ことを特徴とする光記録媒体。
【請求項２】
前記光発色性染料は、前記第２基板内にドーピングされ、その添加率が約０．１〜０．３％である、ことを特徴とする請求項１に記載の光記録媒体。
【請求項３】
前記光発色性染料は、文字または象徴的な図形に形成される、ことを特徴とする請求項１に記載の光記録媒体。
【請求項４】
前記光発色性染料は、インクと混合されてから前記第２基板の表面に印刷され、前記光発色性染料を前記インクに添加する添加率が約１〜１０％である、ことを特徴とする請求項１に記載の光記録媒体。
【請求項５】
前記光発色性染料は、スピロピランオキサジン、スピロオキサジン、アゾベンゼン、サリチリデンアニリン、フルギド、スピロピランのうちの何れか一つである、ことを特徴とする請求項１に記載の光記録媒体。
【請求項６】
基板と、
前記基板の表面に設けられた反射層と、
光発色性染料を含み、前記反射層の表面に設けられた印刷層と、
を備える、ことを特徴とする光記録媒体。
【請求項７】
前記光発色性染料は、インクと混合されて前記印刷層を形成し、前記光発色性染料を前記インクに添加する添加率が約１〜１０％である、ことを特徴とする請求項６に記載の光記録媒体。
【請求項８】
前記光発色性染料は、スピロピランオキサジン、スピロオキサジン、アゾベンゼン、サリチリデンアニリン、フルギド、スピロピランのうちの何れか一つである、ことを特徴とする請求項６に記載の光記録媒体。
【請求項９】
前記光発色性染料は、文字または象徴的な図形に形成される、ことを特徴とする請求項６に記載の光記録媒体。
【請求項１０】
カバー層と、
光発色性染料を含む基板と、
前記カバー層と前記基板との間に設けられた反射層と、
を備える、ことを特徴とする光記録媒体。
【請求項１１】
前記光発色性染料は、前記基板内にドーピングされ、その添加率が約０．１〜０．３％である、ことを特徴とする請求項１０に記載の光記録媒体。
【請求項１２】
前記光発色性染料は、インクと混合されてから前記基板の表面に印刷され、前記光発色性染料を前記インクに添加する添加率が約１〜１０％である、ことを特徴とする請求項１０に記載の光記録媒体。
【請求項１３】
前記光発色性染料は、スピロピランオキサジン、スピロオキサジン、アゾベンゼン、サリチリデンアニリン、フルギド、スピロピランのうちの何れか一つである、ことを特徴とする請求項１０に記載の光記録媒体。
【請求項１４】
前記光発色性染料は、文字または象徴的な図形に形成される、ことを特徴とする請求項１０に記載の光記録媒体。
【発明の詳細な説明】
【技術分野】
【０００１】
本発明は、光記録媒体に関し、特に光発色性染料を含む光記録媒体に関する。
【背景技術】
【０００２】
情報とマルチメディア時代に向けて、コンピューター、通信、コンシューマーエレクトロニクス（Computer, Communication, Consumer electronics）を含む３Ｃ製品の分野では、記録媒体の記録密度と記憶容量に対する要求が絶えず高まっている。従来の記録媒体は、磁気記録媒体と光記録媒体とに分けられ、現在、主な市場を占めるのは、光記録媒体である。光記録媒体には、再生専用型ディスク（CD-ROM）、追記型ディスク（CD-R）、書換型ディスク（CD-RW）、再生専用型デジタルビデオディスク（DVD-ROM）、追記型デジタルビデオディスク（DVD-R）、書換型デジタルビデオディスク（DVD-RW, DVD+RW）、ランダムアクセスメモリ型デジタルビデオディスク（DVD-RAM）、高密度デジタルビデオディスク（HD-DVD）、ブルーレイディスク（Blue-ray disc）等の規格がある。
【０００３】
図１に示すように、従来の再生専用型ディスクである光記録媒体１は、基板１１と、反射層１２と、保護層１３とを備える。基板１１は、ポリカーボネートから構成され、射出成形によって、プリグルーブ（pre-grooved）を有する基板が作製される。反射層１２は、基板１１の上に設けられ、金属またはその合金、例えば銀または銀合金、アルミニウムまたはアルミニウム合金、金または金合金等から構成され、スパッタリングや蒸着によって形成される。光記録媒体１は、反射層１２でレーザ光を反射することにより、光記録媒体１に保持されているデジタルデータを読み取ることができる。
【０００４】
なお、反射層１２の金属材料が外界に露出すると、酸化または損傷することもあるため、上記工程を完了した後、反射層１２上に保護層１３を塗布する必要がある。保護層１３は、例えば、アクリル樹脂モノマーから構成される。アクリル樹脂モノマーは、紫外線が照射されると、重合反応が生じて硬化するため、反射層１２を保護することができる。
【０００５】
また、ユーザの注意を引くために、業者は様々な工夫により、設計性に優れた光記録媒体を製造することに全力を尽くし、市場でのシェアを向上することを図っている。例えば、異なる色の印刷インクを利用し、保護層１３に孔版印刷により印刷してから、紫外線を照射し異なる色の印刷層１４を形成することにより、光ディスクの表面をより美しくし、ユーザの購買欲を刺激し、その業者の市場での競争力を向上させる。
【発明の開示】
【発明が解決しようとする課題】
【０００６】
しかし、このような工夫は、光記録媒体の外観色を変更するだけで、他の効果がない。環境の光照射条件に応じて、光記録媒体に異なる色、図形や文字を表示させるような警告機能を有する光記録媒体が開発できれば、光記録媒体の置かれた環境が保存に適するか否かを簡単に判定することができる。例えば、置かれた環境が保存に適さない場合に、光記録媒体に警告表示を行わせることは、ユーザにとって実用性と趣向性があるため、ユーザの購買欲を向上させる。
【０００７】
本発明は、上記問題を鑑みてなされたものであり、光発色性染料を含むことにより、視覚的に趣向性に富んだ警告機能を実現し、ユーザの購買欲を向上させる光記録媒体を提供することを目的とする。
【課題を解決するための手段】
【０００８】
上記目的を達成するために、本発明による光記録媒体は、第１基板と、光発色性染料を含む第２基板と、第１基板と第２基板との間に設けられた反射層とを備える。
【０００９】
また、本発明による光記録媒体は、基板と、基板の表面に設けられた反射層と、反射層の表面に設けられ、光発色性染料を含む印刷層とを備える。また、本発明による光記録媒体は、カバー層と、光発色性染料を含む基板と、カバー層と基板との間に設けられた反射層とを備える。
【発明の効果】
【００１０】
本発明の光情報記録媒体によれば、光発色性染料を含むことにより、光記録媒体の置かれた環境が保存に適するか否かを検出し、置かれた環境が保存に適さない場合には、光記録媒体に警告表示を行わせ、警告機能を実現する。また、本発明の光記録媒体は、波長の異なる光の照射で、異なる色を発生するため、ユーザにとって、視覚的に趣向性に富み、ユーザの購買欲を向上することを意図している。
【発明を実施するための最良の形態】
【００１１】
以下、図面を参照しながら、本発明の好適な実施の形態における光記録媒体について説明する。
【００１２】
なお、本発明の光記録媒体は、例えば、再生専用型ディスク（CD-ROM）、追記型ディスク（CD-R）、書換型ディスク（CD-RW）、再生専用型デジタルビデオディスク（DVD-ROM）、追記型デジタルビデオディスク（DVD-R）、書換型デジタルビデオディスク（DVD-RW, DVD+RW）、ランダムアクセスメモリ型デジタルビデオディスク（DVD-RAM）、高密度デジタルビデオディスク（HD-DVD）、ブルーレイディスク（Blue-ray disc）のうちの何れか一つである。
【００１３】
［実施例１］
図２と図３は、それぞれ本発明の実施例１における光記録媒体２を示す平面図及び図２の点線ａ−ａ’部における断面図である。本実施例の光記録媒体２は、再生専用型デジタルビデオディスク（DVD-ROM）を例にして説明する。本実施例の光記録媒体２は、第１基板２１と、第２基板２２と、反射層２３とを備える。
【００１４】
第１基板２１は、透明基板であり、その厚さは約０．６ｍｍである。第１基板２１は、例えばアクリル（Acrylic）、ポリカーボネート（PolyCarbonate, PC）やＡＢＳ樹脂（Acrylonitrile-butadiene-styrene, ABS）等のプラスチックから構成される。第１基板２１は、データを記録するピット（Pit）とグルーブ（Grooves）が刻まれたスタンパを利用し、上記プラスチックを射出成形することによって形成される。さらに、第１基板２１は、ピットによりデータを保持し、レーザ光によりそのデータを判別して読み取る。
【００１５】
第２基板２２には、光発色性染料（Photochromic dyes）２２１がドーピングされている。第２基板２２は、厚さが約０．６ｍｍである。光発色性染料２２１は、波長の異なる光の照射で、異なる色を発生することができる。ここで、光発色性染料２２１は、例えばスピロピランオキサジン（Spyropyran oxazine）、スピロオキサジン（Spyrooxazine）、アゾベンゼン（Azobenzenes）、サリチリデンアニリン（Salicylidene anilines）、フルギド（Fulgides）、スピロピラン（Spyropyran）または光発色性マイクロカプセル染料（室内では無色だが、太陽光が照射されると有色になるという特性を有する。なお、その色は、例えば黄色、緑色、バラ色、青紫色等である）。本実施例では、まず、光発色性染料２２１とプラスチックとを均一に混合させてから、射出成形することによって、光発色性染料２２１が第２基板２２にドーピングされる。ここで、光発色性染料２２１の添加率は、約０．１〜０．３％である。
【００１６】
反射層２３は、第１基板２１と第２基板２２との間に設けられ、その材料が金属またはその合金、例えば銀または銀合金、アルミニウムまたはアルミニウム合金、金または金合金、半導体合金等より構成され、通常スパッタリングまたは蒸着によって形成される。
【００１７】
また、光発色性染料２２１を第２基板２２の表面に印刷することもできる。まず、光発色性染料２２１とインクとを混合させてから（光発色性染料をインクに添加する添加率は約１〜１０％である）、孔版印刷技術によって、図形または文字を第２基板２２の表面に印刷する。本実施例において、警告用の図形として、例えば泣き顔の図形である。
【００１８】
本実施例において、光発色性染料２２１は、例えば、紫外線に反応する光発色性染料であり、紫外線が照射される前は無色透明を呈するが、紫外線が照射されると赤色になる。従って、本実施例の光記録媒体２に紫外線が照射されると、光記録媒体２の第２基板２２上の光発色性染料２２１が赤色になるとともに、光記録媒体２の表面に泣き顔の図形が表示される。これにより、ユーザは、光記録媒体２が置かれた環境の光照射条件が、光記録媒体２の保存に適するか否かを容易に判定することができる。
【００１９】
［実施例２］
図４と図５は、それぞれ本発明の実施例２における光記録媒体３を示す平面図及び図４の点線ｂ−ｂ’部における断面図である。本実施例の光記録媒体３は、再生専用型ディスク（CD-ROM）を例にして説明する。本実施例の光記録媒体３は、基板３１と、反射層３２と、印刷層３３とを備える。
【００２０】
基板３１は、例えば、透明基板であり、その厚さは約１．２ｍｍである。基板３１は、例えばアクリル、ポリカーボネートやＡＢＳ樹脂等のプラスチックから構成される。基板３１は、データを記録するピットとグルーブが刻まれたスタンパを利用し、上記プラスチックを射出成形することによって形成される。さらに、第１基板３１は、ピットによりデータを保持し、レーザ光によりそのデータを判別して読み取る。
【００２１】
反射層３２は、基板３１の表面に設けられ、その材料が金属またはその合金、例えば銀または銀合金、アルミニウムまたはアルミニウム合金、金または金合金、半導体合金等より構成され、通常スパッタリングまたは蒸着によって形成される。さらに、反射層３２の金属材料が、外界に露出することにより酸化または損傷することを避けるために、通常、印刷層３３と反射層３２との間に反射層３２を保護する保護層３４が塗布される。
【００２２】
印刷層３３は、光発色性染料３３１を含む。光発色性染料３３１はインクと混合された後に、例えば、泣き顔の図形状に反射層３２の表面に印刷される。
【００２３】
従って、本実施例の光記録媒体３は、紫外線が照射されると、光記録媒体３の表面に泣き顔の図形が表示されるため、ユーザは、光記録媒体３が置かれた環境の光照射条件が、光記録媒体３の保存に適さず、光記録媒体３の損傷を招く恐れがあることを容易に判定することができる。
【００２４】
［実施例３］
図６と図７は、それぞれ本発明の実施例３における光記録媒体４を示す平面図及び図６の点線ｃ−ｃ’部における断面図である。本実施例の光記録媒体４は、ブルーレイディスクを例にして説明する。本実施例の光記録媒体４は、カバー層４１と、基板４２と、反射層４３とを備える。
【００２５】
基板４２（保護層とも称する）は、光発色性染料４２１を含む。光発色性染料４２１は、基板４２にドーピングされる。基板４２は、厚さが約１．１ｍｍである。本実施例では、まず、光発色性染料４２１とプラスチックとを均一に混合してから、射出成形することによって光発色性染料４２１がドーピングされた基板４２を形成する。
【００２６】
反射層４３は、カバー層４１と基板４２との間に設けられ、その材料が金属またはその合金、例えば銀または銀合金、アルミニウムまたはアルミニウム合金、金または金合金、半導体合金等より構成され、通常スパッタリングまたは蒸着によって形成される。さらに、本実施例の光記録媒体４は、カバー層４１からレーザを入射させることにより、光記録媒体４に保持されたデータを読み取る。
【００２７】
以上、本発明の実施の形態を、図面を参照して詳述してきたが、具体的な構成は、これらの実施例に限られるものではなく、本発明の要旨を逸脱しない範囲の設計変更等があっても、本発明に含まれる。例えば、上述した実施例において、光記録媒体の種類によって、光発色性染料を、それぞれ基板にドーピングするかまたは光記録媒体の表面に印刷したが、必要に応じて、基板にドーピングするのと同時に光記録媒体の表面に印刷することもできる。さらに、光記録媒体の基板または表面に、多種の光発色性染料をドーピングまたは印刷することにより、波長の異なる光ビームを照射して異なる色を発生させ、ユーザの購買欲を向上させることもできる。
【図面の簡単な説明】
【００２８】
【図１】従来の光記録媒体を示す図である。
【図２】本発明の実施例１における光記録媒体を示す平面図である。
【図３】図２の点線ａ−ａ’部における断面図である。
【図４】本発明の実施例２における光記録媒体を示す平面図である。
【図５】図４の点線ｂ−ｂ’部における断面図である。
【図６】本発明の実施例３における光記録媒体を示す平面図である。
【図７】図６の点線ｃ−ｃ’部における断面図である。
【符号の説明】
【００２９】
１      光記録媒体
１１    基板
１２    反射層
１３    保護層
２      光記録媒体
２１    第１基板
２２    第２基板
２２１  光発色性染料
２３    反射層
３      光記録媒体
３１    基板
３２    反射層
３３    印刷層
３３１  光発色性染料
３４    保護層
４      光記録媒体
４１    カバー層
４２    基板
４２１  光発色性染料
４３    反射層
【図１】
2006331628.tif 000003
【図２】
2006331628.tif 000004
【図３】
2006331628.tif 000005
【図４】
2006331628.tif 000006
【図５】
2006331628.tif 000007
【図６】
2006331628.tif 000008
【図７】
2006331628.tif 000009